(57)【特許請求の範囲】
【請求項１】
一面に既設のコンセントに挿抜可能な一対の栓刃が突設されるとともに栓刃と電気的に接続される端子部を有する箱状のボディ、及び一面に一対の端子ピンが挿通される挿通孔が貫設される箱状のカバーを互いに結合した器体から成る第１のアダプタ半体と、カバーの挿通孔を介してボディの端子部に電気的に接続可能な一対の端子ピン、及び端子ピンに電気的に接続され且つ前記コンセントに挿抜可能なプラグに設けられたプラグ栓刃を受ける刃受部を収納する器体から成る第２のアダプタ半体とから構成され、第１のアダプタ半体と第２のアダプタ半体との何れか一方に設けられたマグネットと、他方に設けられた磁性体から成る磁着片との間に作用する磁着力によって第２のアダプタ半体が第１のアダプタ半体に着脱自在に結合されるマグネット式コンセントアダプタであって、端子部は、端子ピンが弾接するとともに端子ピンの挿入方向に撓み自在な接触ばねから成り、ボディには、その前記一面と直交する両側面にそれぞれボディ及びカバーの結合面よりもカバー側に突出する凹凸形状から成る把持部が設けられ、カバーは、その前記一面の法線方向と栓刃の挿抜方向との為す角度が鈍角で且つ把持部におけるボディ及びカバーの結合面に平行な方向とカバーの前記一面の法線方向とが一致するように配置されたことを特徴とするマグネット式コンセントアダプタ。
【請求項２】
前記カバーの前記一面には、第２のアダプタ半体の器体の周縁と当接する案内壁が設けられたことを特徴とする請求項１記載のマグネット式コンセントアダプタ。
【請求項３】
前記案内壁は、端子ピンの挿入方向と反対方向に向かって拡開するように傾斜して形成されたことを特徴とする請求項２記載のマグネット式コンセントアダプタ。
【請求項４】
前記案内壁は、第２のアダプタ半体の器体の全周縁のうち端子ピンの挿入方向と直交する方向における一方の側縁を除いた部位に設けられたことを特徴とする請求項３記載のマグネット式コンセントアダプタ。 
【発明の詳細な説明】
【技術分野】
【０００１】
本発明は、コンセントと該コンセントに接続可能なプラグとの間に介装され、コンセントとプラグとを磁着して接続可能とするマグネット式コンセントアダプタに関する。
【背景技術】
【０００２】
従来から、プラグのコードに外力が作用した時におけるコードの断線を防止したり、コードが接続されている電気機器の転倒を防止したりするために、マグネットを用いることで一般的なコンセントよりも弱い引抜力でコンセントからプラグが外れるようにしたマグネット式コンセントが用いられているが、このようなマグネット式コンセントは、通常用いられるコンセントとは異なり特殊な形状をしているため、電気工事業者による施工が必要であった。そこで、電気工事を施すことなくマグネット式コンセントと同様の機能を得るために、コンセントとプラグの間に介装されて、これらを磁着可能とするマグネット式コンセントアダプタが提供されており、例えば特許文献１に開示されている。
【０００３】
この従来例は、壁面に設けられたコンセント側に接続する第１のアダプタ半体と、外部の負荷に接続されたプラグ側に接続する第２のアダプタ半体とから構成されるものであり、第１のアダプタ半体は、一面に壁面に設けられたコンセントのコンセント口に接続可能な一対の栓刃を備えたボディ、及び一面に一対の端子ピンが挿通される挿通孔が貫設されるとともに該挿通孔に挿通される端子ピンと前記栓刃とを電気的に接続する端子部を有するカバーを互いに結合した器体から成り、第２のアダプタ半体は、一面側に前記一対の端子ピンを備えるとともに他面側にプラグのプラグ栓刃が接続可能且つ端子ピンと電気的に接続された刃受部を有する器体から成り、第１のアダプタ半体と第２のアダプタ半体とを、第１のアダプタ半体に設けられたマグネットと第２のアダプタ半体に設けられた磁着片との間に作用する磁着力によって結合する。
【０００４】
また、第１のアダプタ半体の器体は、ボディの栓刃が設けられた一面とカバーの挿通孔が設けられた一面とが互いに直交するように形成されており、第１のアダプタ半体を壁面に設けられたコンセントに接続した際に、カバーの前記一面が地面と対向するようになっている。而して、マグネット式コンセントアダプタが全体的にコンパクトになり、壁面からの突出量を抑えることができる。更に、第１のアダプタ半体の器体には、栓刃が設けられた一面と直交する両側面に凹凸形状から成る把持部が設けられており、該把持部を手の指で把持することで器体を持ち易くしている。
【特許文献１】特開２００５−２４３３１２号公報
【発明の開示】
【発明が解決しようとする課題】
【０００５】
ところで、第１のアダプタ半体の端子部は、端子ピンが弾接するとともに端子ピンの挿入方向に撓み自在な接触ばねから成る。このため、ボディにカバーを結合する際には、カバーが接触ばねに触れて変形しないように端子ピンの挿入方向に沿って組み立てる必要がある。しかしながら、上記従来例では、把持部が邪魔するために端子ピンの挿入方向に沿って組み立てることができず、他の方向からカバーをボディに結合せざるを得ないためにカバーが接触ばねに触れ、接触ばねが変形してしまう虞があった。
【０００６】
本発明は、上記の点に鑑みて為されたもので、ボディとカバーとを結合する際に接触ばねを変形させることなく安全に組み立てることのできるマグネット式コンセントアダプタを提供することを目的とする。
【課題を解決するための手段】
【０００７】
請求項１の発明は、上記目的を達成するために、一面に既設のコンセントに挿抜可能な一対の栓刃が突設されるとともに栓刃と電気的に接続される端子部を有する箱状のボディ、及び一面に一対の端子ピンが挿通される挿通孔が貫設される箱状のカバーを互いに結合した器体から成る第１のアダプタ半体と、カバーの挿通孔を介してボディの端子部に電気的に接続可能な一対の端子ピン、及び端子ピンに電気的に接続され且つ前記コンセントに挿抜可能なプラグに設けられたプラグ栓刃を受ける刃受部を収納する器体から成る第２のアダプタ半体とから構成され、第１のアダプタ半体と第２のアダプタ半体との何れか一方に設けられたマグネットと、他方に設けられた磁性体から成る磁着片との間に作用する磁着力によって第２のアダプタ半体が第１のアダプタ半体に着脱自在に結合されるマグネット式コンセントアダプタであって、端子部は、端子ピンが弾接するとともに端子ピンの挿入方向に撓み自在な接触ばねから成り、ボディには、その前記一面と直交する両側面にそれぞれボディ及びカバーの結合面よりもカバー側に突出する凹凸形状から成る把持部が設けられ、カバーは、その前記一面の法線方向と栓刃の挿抜方向との為す角度が鈍角で且つ把持部におけるボディ及びカバーの結合面に平行な方向とカバーの前記一面の法線方向とが一致するように配置されたことを特徴とする。
【０００８】
請求項２の発明は、請求項１の発明において、カバーの前記一面には、第２のアダプタ半体の器体の周縁と当接する案内壁が設けられたことを特徴とする。
【０００９】
請求項３の発明は、請求項２の発明において、案内壁は、端子ピンの挿入方向と反対方向に向かって拡開するように傾斜して形成されたことを特徴とする。
【００１０】
請求項４の発明は、請求項３の発明において、案内壁は、第２のアダプタ半体の器体の全周縁のうち端子ピンの挿入方向と直交する方向における一方の側縁を除いた部位に設けられたことを特徴とする。
【発明の効果】
【００１１】
請求項１の発明によれば、ボディとカバーとを結合する際に端子ピンの挿入方向、即ち接触ばねの撓み方向に沿って組み立てることができる。したがって、ボディとカバーとを結合する際に、仮に接触ばねにカバーの一部が接触したとしても接触ばねには撓み方向にのみ荷重がかかるので、接触ばねが変形することなく安全に組み立てることができる。
【００１２】
請求項２の発明によれば、案内壁によって端子ピンが挿入孔に挿入可能な位置に第２のアダプタ半体を案内することができるので、カバーの挿通孔が視認できない状態であっても容易に第２のアダプタ半体を第１のアダプタ半体に接続することができる。
【００１３】
請求項３の発明によれば、第２のアダプタ半体を第１のアダプタ半体から引き抜く際に第２のアダプタ半体を端子ピンの挿入方向に対して傾斜させて引き抜くことができるので、第２のアダプタ半体を端子ピンの挿入方向に沿って引き抜く場合と比較してマグネットの吸引力に抗う力を小さくすることができ、容易に引き抜くことができる。
【００１４】
請求項４の発明によれば、案内壁が設けられていない部位から第２のアダプタ半体を案内壁に沿わせて第１のアダプタ半体に容易に接続することができる。
【発明を実施するための最良の形態】
【００１５】
以下、本発明に係るマグネット式コンセントアダプタの実施形態について図面を用いて説明する。尚、以下の説明では、図１（ａ）における上下を上下方向と定めるものとする。本実施形態は、図１，２に示すように、壁の一面に既設のコンセント（図示せず）のコンセント口（図示せず）に挿抜可能な一対の栓刃１２が突設されるとともに栓刃１２と電気的に接続される端子部１３を有する箱状のボディ１０、及び一面に一対の端子ピン２０が挿通される挿通孔１４ａ，１９ａが貫設される箱状のカバー１１を互いに結合した器体１から成る第１のアダプタ半体Ａと、カバー１１の挿通孔１４ａ，１９ａを介してボディ１０の端子部１３に電気的に接続可能な一対の端子ピン２０、及び端子ピン２０に電気的に接続され且つ前記コンセントに挿抜可能なプラグ（図示せず）に設けられたプラグ栓刃（図示せず）を受ける刃受部（図示せず）を収納する器体２から成る第２のアダプタ半体Ｂとから構成され、第１のアダプタ半体Ａと第２のアダプタ半体Ｂとは、第１のアダプタ半体Ａに設けられたマグネット（図示せず）と、第２のアダプタ半体Ｂに設けられた磁性体から成る磁着片２１との間に作用する磁着力によって着脱自在に結合される。
【００１６】
ボディ１０は、図１（ａ）に示すように、一面を開口した箱体に形成され、コンセントに接続される前面部１０ａに栓刃１２を挿通する挿通孔（図示せず）が貫設されている。また、ボディ１０の両側面（図１（ａ）における紙面手前側、及び紙面奥側）には、それぞれボディ１０及びカバー１１の結合面よりもカバー１１側に突出する凹状に窪んだ把持部１０ｃが設けられている。而して、該把持部１０ｃを手の指で把持することで器体１を持ち易くしている。
【００１７】
ボディ１０の内部には、栓刃１２が突設された箱体の中ボディ１８が前記挿通孔に栓刃１２を挿通させた形で収納される。中ボディ１８は、その一端部に栓刃１２が配設されるとともに他端部に端子部１３が配設され、他端部の端子ピン２０が対向する一面は、端子ピン２０の挿入方向と直交する平面と平行するようになっている。端子部１３は、端子ピン２０が弾接するとともに端子ピン２０の挿入方向に撓み自在な接触ばね１３ａから成り、端子ピン２０の先端部が該接触ばね１３ａに弾接することで、栓刃１２と端子ピン２０とが電気的に接続されるようになっている。
【００１８】
カバー１１は、図１（ａ）に示すように、ボディ１０の底面部１０ｂと結合される前面部１１ａから端子ピン２０が挿通される底面部１１ｂにかけて湾曲する曲面形状に形成された箱体から成り、図２（ｃ）に示すように、一面に端子ピン２０が挿通される挿通孔１９ａが貫設されるとともにマグネットを保持する中カバー１９と、挿通孔１４ａを閉塞する位置と開放する位置との間で回動自在な扉体１５と、挿通孔１９ａと連通する挿通孔１４ａが貫設されるとともに扉体１５を保持する中枠１４とが収納される。尚、カバー１１の底面部１１ｂには、中カバー１９の前記一面を外部に臨ませる開口１１ｃが設けられている。
【００１９】
中カバー１９は長尺平板状に形成され、図２（ｂ）に示すように、長手方向における略中央部には略円形状の一対の挿通孔１９ａが貫設されている。また、長手方向における両端部には、それぞれマグネット及びマグネットを挟持する一対のヨーク１６が保持されている。各ヨーク１６の一端部は、一対の挿通孔１９ａを挟んで長手方向両端にそれぞれ貫設された２対の略矩形状の通孔１９ｄを介して外部に露設されている。而して、ヨーク１６と磁着片２１との間に作用する磁着力によって第１のアダプタ半体Ａと第２のアダプタ半体Ｂとが結合される。また、底面部１９ｃの略中央部には、底面部１９ｃの法線方向に突設された凸状の位置決め凸部１９ｂが底面部１９ｃの長手方向に沿って設けられている。
【００２０】
中枠１４は、図２（ｃ）に示すように長尺平板状に形成され、中カバー１９の挿通孔１９ａと連通する一対の略長円状の挿通孔１４ａが長手方向に沿って貫設されている。中枠１４は、中カバー１９との間で扉体１５を挟持して保持する。また、中枠１４には、挿通孔１９ａに端子ピン２０が挿入されていない状態で扉体１５が挿通孔１９ａを閉塞するように扉体１５を付勢するばね部材（図示せず）が設けられている。扉体１５は、挿通孔１９ａに挿入された端子ピン２０の先端部に押圧されて回動し、挿通孔１９ａを開放するようになっている。尚、上記のような扉体１５は周知であるので、ここでは詳細な説明を省略するものとする。
【００２１】
第２のアダプタ半体Ｂは、図３（ａ），（ｂ）に示すように、一対の端子ピン２０と、一対の磁着片２１と、一対の刃受部とを略直方体状の器体２に備えて成る。器体２の上面部の略中央部には、一対の端子ピン２０が短手方向に沿って並設されており、上面部の長手方向の両端部には、それぞれ磁着片２１が配設されている。器体２の下面部の略中央部には、電気機器等の負荷（図示せず）に備えられたプラグのプラグ栓刃が挿抜自在な略円弧状の一対の栓刃挿入孔２ａが貫設されている。また、器体２上面部の端子ピン２０に挟まれた位置には、上面部の法線方向に窪んだ凹状の位置決め凹部２ｂが上面部の長手方向に沿って設けられており、該位置決め凹部２ｂに第１のアダプタ半体Ａの位置決め凸部１９ｂを嵌合することで、第１のアダプタ半体Ａと第２のアダプタ半体Ｂとの位置決めを行うことができる。
【００２２】
ここで、本実施形態では、図１（ａ），（ｂ）に示すように、第１のアダプタ半体Ａの器体１をボディ１０の前面部１０ａの法線方向とカバー１１の底面部１１ｂの法線方向との成す角度が鈍角（ここでは、略３０度）となるように形成している。即ち、栓刃１２の挿抜方向と端子ピン２０の挿抜方向との成す角度が鈍角となっているので、水平方向における突出量を抑えることができ、また、従来例のように栓刃１２の挿抜方向と端子ピン２０の挿抜方向との成す角度が直角の場合と比較して、第２のアダプタ半体Ｂを第１のアダプタ半体Ａに対して容易に着脱することができる。
【００２３】
また、本実施形態では、図１（ａ）に示すように、把持部１０ｃにおけるボディ１０及びカバー１１の結合面ア，イに平行な方向とカバー１１の底面部１１ｂの法線方向とが一致するようにボディ１０及びカバー１１が結合するようになっている。このため、ボディ１０とカバー１１とを結合する際に端子ピン２０の挿入方向、即ち接触ばね１３ａの撓み方向に沿って組み立てることができる。したがって、ボディ１０とカバー１１とを結合する際に、仮に接触ばね１３ａにカバー１１の一部が接触したとしても接触ばね１３ａには撓み方向にのみ荷重がかかるので、接触ばね１３ａが変形することなく安全に組み立てることができる。
【００２４】
ところで、本実施形態は、上記のように第１のアダプタ半体Ａの器体１をボディ１０の前面部１０ａの法線方向とカバー１１の底面部１１ｂの法線方向との成す角度が鈍角となるように形成されているので、図４（ｂ）に示すように、第１のアダプタ半体Ａを壁面Ｃの低い位置に設けられたコンセントＤに接続した状態では、上から見下ろすことになるために第１のアダプタ半体Ａと第２のアダプタ半体Ｂとの接続を視認することができない。
【００２５】
そこで、本実施形態では、図４（ａ）に示すように、カバー１１の底面部１９ｂ側の端部に第２のアダプタ半体Ｂの器体２の全周縁のうち端子ピン２０の挿入方向と直交する方向における一方の側縁（図示では左側）を除いた部位と当接する案内壁１７を設けている。したがって、第２のアダプタ半体Ｂを第１のアダプタ半体Ａに接続する際に、案内壁１７に沿って端子ピン２０が挿通孔１４ａ，１９ａに挿入可能な位置に第２のアダプタ半体Ｂを案内することができるので、挿通孔１４ａ，１９ａが視認できない状態であっても第２のアダプタ半体Ｂを第１のアダプタ半体Ａに対して容易に着脱することができる。
【００２６】
また、案内壁１７に端子ピン２０の挿入方向と反対方向に向かって拡開するように傾斜するテーパ１７ａが形成されているので、第２のアダプタ半体Ｂを第１のアダプタ半体Ａから引き抜く際に、テーパ１７ａに沿わせることで第２のアダプタ半体Ｂを端子ピン２０の挿入方向に対して傾斜させて引き抜くことができるので、第２のアダプタ半体Ｂを端子ピン２０の挿入方向に沿って引き抜く場合と比較してマグネットの吸引力に抗う力を小さくすることができ、容易に引き抜くことができる。
【００２７】
更に、上述のように、第２のアダプタ半体Ｂの器体２の前記一方の側縁と当接する案内壁１７を設けていないので、案内壁１７が設けられていない部位から第２のアダプタ半体Ｂを案内壁１７に沿わせて第１のアダプタ半体に容易に接続することができる。
【００２８】
仮に、図５（ｃ）に示すように案内壁１７が設けられていないとすると、第２のアダプタ半体Ｂを第１のアダプタ半体Ａに接続する際に、端子ピン２０が挿通孔１４ａ，１９ａに挿入可能な位置に第２のアダプタ半体Ｂを位置決めすることが困難である。
【００２９】
尚、図５（ａ）に示すように、第２のアダプタ半体Ｂの器体２の前記一方の側縁と当接する案内壁１７を設けても構わない。この場合、当該案内壁１７が端子ピン２０の挿入方向と反対方向に突出しないように設けるのが望ましい。一方、図５（ｂ）に示すように、当該案内壁１７が端子ピン２０の挿入方向と反対方向に突出するように設けた場合、第２のアダプタ半体Ｂを第１のアダプタ半体Ａに接続する際に、当該案内壁１７に端子ピン２０が引っ掛かることで接続し難くなり、望ましくない。
【図面の簡単な説明】
【００３０】
【図１】本発明に係るマグネット式コンセントアダプタの実施形態を示す側面図で、（ａ）はボディ及びカバーが結合していない状態の図で、（ｂ）はボディ及びカバーが結合した状態の図である。
【図２】同上の第１のアダプタ半体を示す図で、（ａ）は斜視図で、（ｂ）は挿通孔側から見た平面図で、（ｃ）はＡ−Ａ’線断面矢視図である。
【図３】同上の第２のアダプタ半体を示す図で、（ａ）は端子ピン側から見た斜視図で、（ｂ）は端子ピンの反対側から見た斜視図である。
【図４】同上の案内壁の説明図で、（ａ）は第１のアダプタ半体に第２のアダプタ半体を接続する際の側面図で、（ｂ）は第１のアダプタ半体をコンセントに接続した際の斜視図である。
【図５】（ａ）〜（ｃ）は同上の案内壁の他の構成を示す側面図である。
【符号の説明】
【００３１】
１，２  器体
１０  ボディ
１０ｃ  把持部
１１  カバー
１２  栓刃
１３  端子部
１３ａ  接触ばね
１４ａ，１９ａ  挿通孔
２０  端子ピン
２１  磁着片
Ａ  第１のアダプタ半体
Ｂ  第２のアダプタ半体 
【図１】
0004844576.tif 000002
【図２】
0004844576.tif 000003
【図３】
0004844576.tif 000004
【図４】
0004844576.tif 000005
【図５】
0004844576.tif 000006